(57)【要約】【課題】誤接続の可能性を低減した情報コンセントを提供する。【解決手段】公衆回線を利用したネットワーク接続サービスを利用するための通信機器を加入者線Ｌ１，Ｌ２に接続するためのモジュラジャック１１と、電話回線を利用して通信を行う通信機器を加入者線Ｌ１，Ｌ２に接続するためのモジュラジャック１３とを器体に配設すると共に、モジュラジャック１１へのモジュラプラグの接続の有無を検知し、その検知結果に応じて加入者線Ｌ１，Ｌ２をモジュラジャック１１側、又は、モジュラジャック１３側に択一的に接続する切替スイッチ１４を設けてあり、切替スイッチ１４は、モジュラジャック１１にモジュラプラグが接続されると加入者線Ｌ１，Ｌ２をモジュラジャック１１側に、モジュラジャック１１にモジュラプラグが接続されなければ加入者線Ｌ１，Ｌ２をモジュラジャック１３側に択一的に接続している。【選択図】図１
2005117546.tif 000002
【特許請求の範囲】
【請求項１】
公衆回線を利用したネットワーク接続サービスを利用するための通信機器を加入者線に接続するための第１のモジュラジャックと、電話回線を利用して通信を行う通信機器を加入者線に接続するための第２のモジュラジャックとを器体に配設すると共に、モジュラジャックへのモジュラプラグの接続の有無を検知する検知手段と、該検知手段の検知結果に応じて加入者線を第１のモジュラジャック側、又は、第２のモジュラジャック側に択一的に接続する切替接続手段とを設けたことを特徴とする情報コンセント。
【請求項２】
公衆回線を利用したネットワーク接続サービスを利用するための通信機器を加入者線に接続するための第１のモジュラジャックと、電話回線を利用して通信を行う通信機器を加入者線に接続するための第２のモジュラジャックとを器体に配設すると共に、利用しないモジュラジャックを隠すために一方のモジュラジャックを開閉自在に覆うカバーを器体に設け、カバーの開閉状態を検知する検知手段と、該検知手段の検知結果に応じて加入者線を第１のモジュラジャック側、又は、第２のモジュラジャック側に択一的に接続する切替接続手段とを設けたことを特徴とする情報コンセント。
【請求項３】
公衆回線を利用したネットワーク接続サービスを利用するための通信機器を加入者線に接続するための第１のモジュラジャックと、電話回線を利用して通信を行う通信機器を加入者線に接続するための第２のモジュラジャックとを器体に配設すると共に、第１のモジュラジャック又は第２のモジュラジャックの内の何れかを加入者線に直接接続し、モジュラジャックへのモジュラプラグの接続の有無を検知する検知手段と、前記検知手段がモジュラプラグの接続状態を検知すると第１のモジュラジャックと第２のモジュラジャックとの間を電気的に切り離すとともに、前記検知手段がモジュラプラグの非接続状態を検知すると第１のモジュラジャックと第２のモジュラジャックとの間を電気的に接続する切替接続手段を設けたことを特徴とする情報コンセント。
【請求項４】
公衆回線を利用したネットワーク接続サービスを利用するための通信機器を加入者線に接続するための第１のモジュラジャックと、電話回線を利用して通信を行う通信機器を加入者線に接続するための第２のモジュラジャックとを器体に配設すると共に、利用しないモジュラジャックを隠すために一方のモジュラジャックを開閉自在に覆うカバーを器体に設け、第１のモジュラジャック又は第２のモジュラジャックの内の何れかを加入者線に直接接続し、カバーの開閉状態を検知する検知手段と、前記検知手段がカバーの開状態を検知すると第１のモジュラジャックと第２のモジュラジャックとの間を電気的に切り離すとともに、前記検知手段がカバーの閉状態を検知すると第１のモジュラジャックと第２のモジュラジャックとの間を電気的に接続する切替接続手段を設けたことを特徴とする情報コンセント。
【発明の詳細な説明】
【技術分野】
【０００１】
本発明は、住宅やオフィスビルなどの建物内に先行配線された電話線など通信線を利用して、電話やデータ通信のための通信経路を構築するために用いられる情報コンセントに関するものである。
【背景技術】
【０００２】
従来より、住宅やオフィスビルなどの建物内に、保安器を介して公衆電話回線網の加入者線に接続される第１の通信経路と、加入者線に接続されていない第２の通信経路とを先行配線した配線システムが提供されている。また近年、ｘＤＳＬやＩＳＤＮなどのネットワーク接続サービスが提供されているが、上記のような配線システムでこれらのネットワーク接続サービスを利用する場合は、接続サービスを利用するために用いる通信機器を加入者線に接続するための第１のモジュラジャックを第１の通信経路に設けるとともに、通信機器が備える音声信号用の通信ポートを第２の通信経路に接続するための第２のモジュラジャックを第２の通信経路に設け、第１のモジュラジャックを介してネットワーク接続サービスを利用するための通信機器を加入者線に接続するとともに、この通信機器の音声信号用通信ポートを信号線を介して第２のモジュラジャックに戻し配線することで、第２の通信経路を電話回線として利用し、第２の通信経路に設けた他のモジュラジャックに電話回線を利用して通信を行う電話機やファクシミリなどの機器を接続している（例えば特許文献１参照）。
【特許文献１】特開２００２−３１４５７４号公報
【発明の開示】
【発明が解決しようとする課題】
【０００３】
上述の配線システムでは、ネットワーク接続用の通信機器を接続するための第１のモジュラジャックが加入者線に直接接続されているため、ネットワーク接続サービスを利用しない場合に第１のモジュラジャックに誤ってネットワーク接続用の通信機器を接続すると、第１の通信経路に接続した電話機などにネットワーク接続用の通信機器から出力される高周波の信号が回り込み、音声信号にノイズが重畳するという問題があった。
【０００４】
本発明は上記問題点に鑑みて為されたものであり、その目的とするところは、誤接続の可能性を減らした情報コンセントを提供することにある。
【課題を解決するための手段】
【０００５】
上記目的を達成するために、請求項１の発明は、公衆回線を利用したネットワーク接続サービスを利用するための通信機器を加入者線に接続するための第１のモジュラジャックと、電話回線を利用して通信を行う通信機器を加入者線に接続するための第２のモジュラジャックとを器体に配設すると共に、モジュラジャックへのモジュラプラグの接続の有無を検知する検知手段と、該検知手段の検知結果に応じて加入者線を第１のモジュラジャック側、又は、第２のモジュラジャック側に択一的に接続する切替接続手段とを設けたことを特徴とする。
【０００６】
請求項２の発明は、公衆回線を利用したネットワーク接続サービスを利用するための通信機器を加入者線に接続するための第１のモジュラジャックと、電話回線を利用して通信を行う通信機器を加入者線に接続するための第２のモジュラジャックとを器体に配設すると共に、利用しないモジュラジャックを隠すために一方のモジュラジャックを開閉自在に覆うカバーを器体に設け、カバーの開閉状態を検知する検知手段と、該検知手段の検知結果に応じて加入者線を第１のモジュラジャック側、又は、第２のモジュラジャック側に択一的に接続する切替接続手段とを設けたことを特徴とする。
【０００７】
請求項３の発明は、公衆回線を利用したネットワーク接続サービスを利用するための通信機器を加入者線に接続するための第１のモジュラジャックと、電話回線を利用して通信を行う通信機器を加入者線に接続するための第２のモジュラジャックとを器体に配設すると共に、第１のモジュラジャック又は第２のモジュラジャックの内の何れかを加入者線に直接接続し、モジュラジャックへのモジュラプラグの接続の有無を検知する検知手段と、前記検知手段がモジュラプラグの接続状態を検知すると第１のモジュラジャックと第２のモジュラジャックとの間を電気的に切り離すとともに、前記検知手段がモジュラプラグの非接続状態を検知すると第１のモジュラジャックと第２のモジュラジャックとの間を電気的に接続する切替接続手段を設けたことを特徴とする。
【０００８】
請求項４の発明は、公衆回線を利用したネットワーク接続サービスを利用するための通信機器を加入者線に接続するための第１のモジュラジャックと、電話回線を利用して通信を行う通信機器を加入者線に接続するための第２のモジュラジャックとを器体に配設すると共に、利用しないモジュラジャックを隠すために一方のモジュラジャックを開閉自在に覆うカバーを器体に設け、第１のモジュラジャック又は第２のモジュラジャックの内の何れかを加入者線に直接接続し、カバーの開閉状態を検知する検知手段と、前記検知手段がカバーの開状態を検知すると第１のモジュラジャックと第２のモジュラジャックとの間を電気的に切り離すとともに、前記検知手段がカバーの閉状態を検知すると第１のモジュラジャックと第２のモジュラジャックとの間を電気的に接続する切替接続手段を設けたことを特徴とする。
【発明の効果】
【０００９】
以上説明したように、請求項１の発明では、切替接続手段が、モジュラジャックへのモジュラプラグの接続の有無を検知する検知手段の検知結果に応じて、加入者線を第１のモジュラジャック側、又は、第２のモジュラジャック側に択一的に接続しており、切替接続手段が検知手段の検知結果に応じて自動的に切替接続しているので、ユーザの操作によって加入者線を第１又は第２のモジュラジャックに切替接続する場合のように誤接続が発生する可能性を低減でき、且つ、ネットワーク接続サービスを利用するための通信機器が接続される第１のモジュラジャックと、電話回線を利用して通信を行う通信機器が接続される第２のモジュラジャックとの間が切り離されているので、ネットワーク接続サービスを利用するための通信機器から出力される高周波の信号が第２のモジュラジャックに接続される通信機器に回り込むことがなく、音声回線にノイズが重畳されるのを防止できるという効果がある。
【００１０】
また請求項２の発明では、切替接続手段が、カバーの開閉状態を検知する検知手段の検知結果に応じて、加入者線を第１のモジュラジャック側、又は、第２のモジュラジャック側に択一的に接続しており、切替接続手段が検知手段の検知結果に応じて自動的に切替接続しているので、ユーザの操作によって加入者線を第１又は第２のモジュラジャックに切替接続する場合のように誤接続が発生する可能性を低減でき、且つ、ネットワーク接続サービスを利用するための通信機器が接続される第１のモジュラジャックと、電話回線を利用して通信を行う通信機器が接続される第２のモジュラジャックとの間が切り離されているので、ネットワーク接続サービスを利用するための通信機器から出力される高周波の信号が第２のモジュラジャックに接続される通信機器に回り込むことがなく、音声回線にノイズが重畳されるのを防止できるという効果がある。
【００１１】
また更に請求項３の発明では、検知手段がモジュラプラグの接続状態を検知すると、切替接続手段が第１のモジュラジャックと第２のモジュラジャックとの間を切り離すとともに、検知手段がモジュラプラグの非接続状態を検知すると、切替接続手段が第１のモジュラジャックと第２のモジュラジャックとの間を接続して、両モジュラジャックを加入者線に接続しているので、ユーザの操作によって第１のモジュラジャックと第２のモジュラジャックとの間の電路をオン／オフする場合のように誤接続が発生する可能性を低減でき、且つ、モジュラプラグが接続される場合は第１のモジュラジャックと第２のモジュラジャックとの間が切り離されるので、ネットワーク接続サービスを利用するための通信機器から出力される高周波の信号が第２のモジュラジャックに接続される通信機器に回り込むことがなく、音声回線にノイズが重畳されるのを防止できるという効果がある。
【００１２】
また請求項４の発明では、検知手段がカバーの開状態を検知すると、切替接続手段が第１のモジュラジャックと第２のモジュラジャックとの間を切り離すとともに、検知手段がカバーの閉状態を検知すると、切替接続手段が第１のモジュラジャックと第２のモジュラジャックとの間を接続して、両モジュラジャックを加入者線に接続しているので、ユーザの操作によって第１のモジュラジャックと第２のモジュラジャックとの間の電路をオン／オフする場合のように誤接続が発生する可能性を低減でき、且つ、モジュラプラグを接続するためにカバーを開けると、ネットワーク接続サービスを利用するための通信機器が接続される第１のモジュラジャックと、電話回線を利用して通信を行う通信機器が接続される第２のモジュラジャックとの間が切り離されるので、ネットワーク接続サービスを利用するための通信機器から出力される高周波の信号が第２のモジュラジャックに接続される通信機器に回り込むことがなく、音声回線にノイズが重畳されるのを防止できるという効果がある。
【発明を実施するための最良の形態】
【００１３】
以下に本発明の実施の形態を図面に基づいて説明する。
【００１４】
（実施形態１）
本発明の実施形態１を図１〜図５に基づいて説明する。本実施形態の情報コンセントの内部配線図を図１に、この情報コンセントを用いた配線システムの概略構成図を図２に示す。尚、以下の説明では特に断りが無い場合、図３に示す向きにおいて上下左右の方向を規定し、図３の正面を前面と言う。
【００１５】
この情報コンセント１は、図示しない保安器を介して建物内に引き込まれた加入者線Ｌ１，Ｌ２が接続される保安器側端子Ｔ１１，Ｔ１２と、公衆回線を利用した例えばＡＤＳＬのようなネットワーク接続サービスを利用するための通信機器（例えばスプリッタ２）を加入者線Ｌ１，Ｌ２に接続するためのモジュラジャック１１と、４対の宅内側接続端子Ｔ２１，Ｔ２２を介して建物内に先行配線された電話用配線Ｌ３，Ｌ４に電気的に接続され、スプリッタ２の備える電話回線用の接続ポートを電話用配線Ｌ３，Ｌ４に接続するためのモジュラジャック１２と、モジュラジャック１２に電気的に接続され、電話回線を利用して通信を行う通信機器（例えば電話機３）を加入者線Ｌ１，Ｌ２に接続するためのモジュラジャック１３と、モジュラジャック１１へのモジュラプラグの接続の有無に応じて、保安器側端子Ｔ１１，Ｔ１２に接続された加入者線Ｌ１，Ｌ２を第１のモジュラジャック１１（第１のモジュラジャック）側、又は、モジュラジャック１３（第２のモジュラジャック）側に択一的に接続する切替スイッチ１４とを備える。尚、本実施形態ではネットワーク接続サービスとしてＡＤＳＬを例に説明を行ったが、ＩＳＤＮやｘＤＳＬなどの公衆回線を利用したネットワーク接続サービスにも適用可能である。
【００１６】
情報コンセント１の器体１０は、埋込型の配線器具を埋込配設するための規格化された２連の取付枠（図示せず）の開口窓から前面が露出する形で取り付けることができるように寸法設定された所謂２連モジュール寸法（例えば、日本工業規格の大角形連用配線器具（ＪＩＳＣ８３０４）等で規格化された単位寸法（１個モジュール寸法）の配線器具を短幅方向に３個並べた寸法（３個モジュール寸法）の２連の寸法）に形成されており、図２に示す例ではこの情報コンセント１を、単位寸法に形成されたＬＡＮ用（例えばカテゴリ５など）の３個のモジュラコンセント７ａ〜７ｃと並設し、３連用のプレート２０に設けた２連分の開口窓２０ａから情報コンセント１の前面を露出させるとともに、１連分の開口窓２０ｂから３個のモジュラコンセント７ａ〜７ｃの前面を露出させている。情報コンセント１と共に並設された３個のモジュラコンセント７ａ，７ｂ，７ｃは、それぞれ、建物内に先行配線されたＬＡＮ用配線Ｌ５，Ｌ６，Ｌ７を介して建物内の各部屋に配設されたＬＡＮ用のモジュラコンセント８ａ，８ｂ，８ｃに電気的に接続されており、これらのモジュラコンセント８ａ〜８ｃは、宅内側接続端子Ｔ２１，Ｔ２２に電話用配線Ｌ３，Ｌ４を介して電気的に接続された電話用のモジュラコンセント９ａ〜９ｃと共に１連用の取付枠（図示せず）を用いて埋込配設されている。なおプレート２０の前面には、モジュラコンセント７ａ〜７ｃの右側に各モジュラコンセント７ａ〜７ｃの接続先の部屋名（例えば「洋室１」「洋室２」「居間」など）を記載したシール１９を貼着してあり、シール１９の表示から接続先を容易に判別できる。
【００１７】
ここで、スプリッタ２の備えるＡＤＳＬ信号用の接続ポートにはＡＤＳＬモデム４が接続され、パーソナルコンピュータのような端末装置６はローカルルータ５を介してＡＤＳＬモデム４に接続されている。またローカルルータ５の備える複数の接続ポートの内の３個は、３本のＬＡＮ用配線Ｌ８を介してモジュラコンセント７ａ〜７ｃに接続されており、建物内の各部屋に配設されたモジュラコンセント８ａ〜８ｃはＬＡＮ用配線Ｌ５〜Ｌ７、モジュラコンセント７ａ〜７ｃ、及びＬＡＮ用配線Ｌ８を介してローカルルータ５にスター接続されている。
【００１８】
また器体１０の前面には、左半分の上側約３分の２の部位に上述したモジュラジャック１１，１２を上下に配置してあり、ネットワーク接続サービスを利用しない場合にスプリッタ２が接続されるモジュラジャック１１，１２を隠すためにカバー１５を器体１０の前面に開閉自在に取り付けてある。このカバー１５は矩形板状であって、器体１０前面の左半分の上側約３分の２の部位と略同じ大きさに形成されており、器体１０前面の左右方向の中間部に設けたヒンジ部１６，１６を介して回転自在に取り付けられている。
【００１９】
モジュラジャック１１は、図１及び図４に示すように、器体１０の前面に設けた窓孔を開閉自在に塞ぐシャッターブロック１１ｄと、器体１０内に収納されるプリント基板１７の窓孔との対向部位に実装されたジャック本体１１ａとで構成される。ジャック本体１１ａは角筒状に形成され、前面にプラグ挿入口１１ｂが開口しており、プラグ挿入口１１ｂ内には器体１０前面の窓孔を通して挿入されるモジュラプラグ３０のコンタクト（図示せず）に弾接する弾性接触子１１ｃが配設されている。ここで、モジュラジャック１１にモジュラプラグ３０を接続していない状態では、器体１０の前面に設けた窓孔がシャッターブロック１１ｄによって塞がれているので、器体１０の窓孔から塵やゴミなどが内部に侵入することはない。一方、モジュラプラグ３０を接続する際には、モジュラプラグ３０でシャッターブロック１１ｄを開いて、ジャック本体１１ａのプラグ挿入口１１ｂを露出させ、器体１０前面の窓孔を通してモジュラプラグ３０を差し込むと、ジャック本体１１ａのプラグ挿入口１１ｂ内にモジュラプラグ３０が挿入され、モジュラプラグ３０のコンタクトとモジュラジャック１１の弾性接触子１１ｃとが電気的に接続される。なお、他のモジュラジャック１２，１３もモジュラジャック１１と同様の構造を有しているので、その説明は省略する。このように本実施形態では３個のモジュラジャック１１，１２，１３と後述の切替スイッチ１４とを１つの器体１０に収納しているので、別々の器体に収納した場合のように各モジュラジャック１１〜１３と切替スイッチ１４との間を接続する配線が不要になり、省スペース化が図れるとともに、外観の見栄えを良くできる。
【００２０】
ところで、３個のモジュラジャック１１〜１３の内、ネットワーク接続サービスを利用するためのスプリッタ２のような通信機器が接続されるモジュラジャック１１には、角筒状のジャック本体１１ａで囲まれるプリント基板１７の部位に押釦スイッチからなる切替スイッチ１４を、押釦１４ｄがプラグ挿入口１１ｂに臨むようにして配設してある。この切替スイッチ１４は２ｃ接点タイプのスイッチからなり、一対の共通接点１４ｃ，１４ｃが加入者線Ｌ１，Ｌ２の接続される保安器側端子Ｔ１１，Ｔ１２に電気的に接続され、一方の切替接点１４ａ，１４ａの間にモジュラジャック１１が接続され、他方の切替接点１４ｂ，１４ｂの間にモジュラジャック１２，１３が並列に接続されている。そして、モジュラジャック１１にモジュラプラグ３０が接続されていない状態では、共通接点１４ｃが切替接点１４ｂ側に切替接続されて、モジュラジャック１２，１３が加入者線Ｌ１，Ｌ２間に接続されるとともに、モジュラジャック１１が加入者線Ｌ１，Ｌ２から切り離される。一方、モジュラジャック１１にモジュラプラグ３０を接続すると、モジュラプラグ３０によって押釦１４ｄが押されて、共通接点１４ｃが切替接点１４ａ側に切替接続されるので、モジュラジャック１１が加入者線Ｌ１，Ｌ２間に接続されるとともに、モジュラジャック１２，１３が加入者線Ｌ１，Ｌ２から切り離される。ここに、切替スイッチ１４により、モジュラジャック１１へのモジュラプラグの接続を検知する検知手段と、検知手段の検知結果に応じて加入者線Ｌ１，Ｌ２をモジュラジャック１１側、又は、モジュラジャック１３側に択一的に接続する切替接続手段とが構成されるのである。
【００２１】
次にこの情報コンセント１を用いた配線システムについて説明する。ネットワーク接続サービスを利用しない場合には図３に示すようにカバー１５が閉じられ、このカバー１５によってスプリッタ２が接続されるモジュラジャック１１，１２が隠されているので、スプリッタ２を接続するためのモジュラジャック１１，１２に誤って配線してしまうのを防止できる。また、モジュラジャック１１にモジュラプラグが接続されていない場合は、切替スイッチ１４の共通接点１４ｃが切替接点１４ｂ側に切り替えられて、モジュラジャック１１が加入者線Ｌ１，Ｌ２から切り離されるとともに、モジュラジャック１２，１３および宅内の電話用配線Ｌ３，Ｌ４が加入者線Ｌ１，Ｌ２に直接接続されるので、モジュラジャック１３や建物内の各部屋に設置された電話用のモジュラコンセント９ａ〜９ｃに電話機３などの通信機器を接続し、電話回線を利用して通信を行うことができる。
【００２２】
一方、ネットワーク接続サービスを利用する場合、先ずカバー１５を開いてスプリッタ２が接続されるモジュラジャック１１，１２を露出させる。カバー１５を開いた時に露出する器体１０の部位と、カバー１５を開いた状態で表側となるカバー１５の面には、スプリッタ２やＡＤＳＬモデム４やローカルルータ５と情報コンセント１及びＬＡＮ配線用のモジュラコンセント７ａ〜７ｃとの結線方法を説明する結線図が例えばシルク印字によって表示されており、この結線図に従ってモジュラジャック１１とスプリッタ２との間を信号線で接続するとともに、スプリッタ２からの戻し配線をモジュラジャック１２に接続する。この時、モジュラジャック１１にモジュラプラグが接続されることによって切替スイッチ１４の共通接点１４ｃが切替接点１４ａ側に切り替えられるので、スプリッタ２が加入者線Ｌ１，Ｌ２間に接続されるとともに、モジュラジャック１２，１３および宅内の電話用配線Ｌ３，Ｌ４が加入者線Ｌ１，Ｌ２から切り離され、モジュラジャック１２，１３および宅内の電話用配線Ｌ３，Ｌ４はスプリッタ２を介して加入者線Ｌ１，Ｌ２に接続される。また、モジュラジャック１３に電話機３を接続するとともに、スプリッタ２にＡＤＳＬモデム４を介してローカルルータ５を接続し、さらにローカルルータ５と端末装置６との間をＬＡＮ用配線を介して接続する。またローカルルータ５の接続ポートをＬＡＮ用配線Ｌ８を介してＬＡＮ用のモジュラコンセント７ａ〜７ｃに接続すると、建物内の各部屋に配設されたＬＡＮ用のモジュラコンセント７ａ〜７ｃと端末装置６とがローカルルータ５にスター接続される。
【００２３】
以上説明したように本実施形態の情報コンセント１では、モジュラジャック１１にスプリッタ２からの配線を接続すると、切替スイッチ１４の接点状態が切り替えられ、モジュラジャック１１が加入者線Ｌ１，Ｌ２に接続されるとともに、宅内の電話用配線Ｌ３，Ｌ４が加入者線Ｌ１，Ｌ２から切り離されるので、加入者線Ｌ１，Ｌ２間にスプリッタ２と電話機３などの音声通信用の通信機器が並列に接続されることはなく、スプリッタ２から出力される高周波のＡＤＳＬ信号が電話機３などに回り込んで、通話時にノイズが発生するのを防止できる。また切替スイッチ１４は、モジュラジャック１１へのモジュラプラグの接続の有無に応じて、加入者線Ｌ１，Ｌ２をモジュラジャック１１又は１３に自動的に切替接続しているので、ユーザの操作によって加入者線Ｌ１，Ｌ２をモジュラジャック１１又は１３に切替接続する場合のように誤接続が発生する可能性を低減できる。
【００２４】
なお本実施形態ではモジュラジャック１１に切替スイッチ１４を付設しているが、スプリッタ２からの戻し配線が接続されるモジュラジャック１２に切替スイッチ１４を付設しても良いし、モジュラジャック１１，１２の両方に切替スイッチ１４を付設しても良く、モジュラジャック１１，１２の少なくとも何れか一方にモジュラプラグが接続されると、切替スイッチ１４が加入者線Ｌ１，Ｌ２をモジュラジャック１１側に接続し、モジュラジャック１１，１２の何れにもモジュラプラグが接続されなければ、切替スイッチ１４が加入者線Ｌ１，Ｌ２をモジュラジャック１３側に接続するようにできる。またモジュラジャック１３、或いは、モジュラジャック１１，１３の両方に切替スイッチ１４を付設して、モジュラジャック１１，１３へのモジュラプラグの接続状態に応じて加入者線Ｌ１，Ｌ２をモジュラジャック１１側、又は、モジュラジャック１３側に択一的に接続するようにしても良い。
【００２５】
また本実施形態では、カバー１５を開いた時に露出する器体１０の部位と、カバー１５を開いた状態で表側となるカバー１５の面とに結線図を表示しているので、この結線図にしたがって配線を行うことで、専門知識を持たない一般のユーザでも容易に配線を行うことができる。なお図１の例ではカバー１５の裏面に結線図と共に情報コンセント１の内部配線図を表示しているが、図５に示すように結線図のみを表示するようにしても良い。
【００２６】
また本実施形態では、図３に示すようにカバー１５を閉じた時に露出する器体１０の部位に、機能面が１個モジュール寸法の配線器具の機能面と略同じ大きさに形成された拡張機能ブロック（図示せず）を取り付けるための取付凹所（図示せず）が上側約３分の１の部位に設けられ、この取付凹所を着脱自在に塞ぐブランクチップ１８が取り付けられている。而して、例えば電話用のモジュラジャックを増設したい場合には、ブランクチップ１８を外して、電話用のモジュラジャックを備える拡張機能ブロックを取付凹所に組み込むことで、モジュラジャックを増設することができ、情報コンセント１に所望の機能を有する拡張機能ブロックを取り付けることで、情報コンセント１に拡張性を持たせることができる。
【００２７】
また本実施形態ではカバー１５がヒンジ部１６，１６を介して回転自在に支持されており、カバー１５を開けた状態ではカバー１５が器体１０前面の右側部を覆う位置に反転するようになっているが、カバー１５をモジュラジャック１１，１２を覆う位置とモジュラジャック１１，１２を露出させる位置との間でスライド移動自在に配置しても良いし、カバー１５の一方の辺に沿って溝孔を設け、カバー１５を開けた時にカバー１５を溝孔に落とし込むようにして器体１０内に収納しても良く、この場合はカバー１５を開いた時に露出する器体１０の部位に結線図を表示すれば良い。
【００２８】
（実施形態２）
本発明の実施形態２を図６〜図９に基づいて説明する。上述の実施形態１では切替スイッチ１４が、モジュラジャック１１，１２へのモジュラプラグの接続の有無に応じて加入者線Ｌ１，Ｌ２をモジュラジャック１１側、又は、モジュラジャック１３側に択一的に接続しているが、本実施形態では切替スイッチ１４が、カバー１５の開閉状態に応じて加入者線Ｌ１，Ｌ２をモジュラジャック１１側、又は、モジュラジャック１３側に択一的に接続している。なお、切替スイッチ１４以外の構成は実施形態１と同様であるので、共通する構成要素には同一の符号を付して、その説明は省略する。
【００２９】
図６及び図７に示すように、情報コンセント１の器体１０には、ネットワーク接続サービスを利用しない場合にスプリッタ２が接続されるモジュラジャック１１，１２を隠すためのカバー１５がヒンジ部１６，１６を介して開閉自在に取り付けられている。切替スイッチ１４は器体１０内に収納されるプリント基板１７に実装されており、切替スイッチ１４の押釦１４ｄはカバー１５を開けた時にカバー１５によって覆われる部位に設けた窓孔１０ａを通して器体１０の前面に露出している。一方、カバー１５には、器体１０前面の右側部を覆う位置に反転させた状態で切替スイッチ１４の押釦１４ｄと対向する部位に、押釦１４ｄを押圧する押圧突起１５ａが突設されており、さらに器体１０の前面にはカバー１５を開けた時にカバー１５の側縁と引掛係止する係止爪２１が突設されている。
【００３０】
ここで、ネットワーク接続サービスを利用しない場合には図６に示すようにカバー１５が閉じられ、このカバー１５によってスプリッタ２が接続されるモジュラジャック１１，１２が隠されているので、スプリッタ２を接続するためのモジュラジャック１１，１２に誤って配線してしまうのを防止できる。また、カバー１５が閉じている場合は、切替スイッチ１４の押釦１４ｄがカバー１５によって押されておらず、切替スイッチ１４の共通接点１４ｃが切替接点１４ｂ側に切り替えられて、モジュラジャック１１が加入者線Ｌ１，Ｌ２から切り離されるとともに、モジュラジャック１２，１３および宅内の電話用配線Ｌ３，Ｌ４が加入者線Ｌ１，Ｌ２に直接接続されるので、モジュラジャック１３や建物内の各部屋に設置された電話用のモジュラコンセント９ａ〜９ｃに電話機３などの通信機器を接続して音声信号により通信を行うことができる。
【００３１】
一方、ネットワーク接続サービスを利用する場合は、図７に示すようにカバー１５を開いてスプリッタ２が接続されるモジュラジャック１１，１２を露出させ、器体１０及びカバー１５に表示された結線図にしたがって、モジュラジャック１１とスプリッタ２との間を信号線で接続するとともに、スプリッタ２からの戻し配線をモジュラジャック１２に接続する。カバー１５が器体１０前面の右側部を覆う位置に反転すると、カバー１５の側縁と係止爪２１とが係止することによってカバー１５が開いた状態で保持され、このときカバー１５の押圧突起１５ａによって切替スイッチ１４の押釦１４ｄが押操作される。押釦１４ｄが押されると、切替スイッチ１４の共通接点１４ｃが切替接点１４ａ側に切り替えられるので、スプリッタ２が加入者線Ｌ１，Ｌ２間に接続されるとともに、モジュラジャック１２，１３および宅内の電話用配線Ｌ３，Ｌ４が加入者線Ｌ１，Ｌ２から切り離され、モジュラジャック１２，１３および宅内の電話用配線Ｌ３，Ｌ４はスプリッタ２を介して加入者線Ｌ１，Ｌ２に接続される。
【００３２】
このように本実施形態では、モジュラジャック１１を塞ぐためのカバー１５が開けられると、切替スイッチ１４の接点状態が切り替えられ、モジュラジャック１１が加入者線Ｌ１，Ｌ２に接続されるとともに、宅内の電話用配線Ｌ３，Ｌ４が加入者線Ｌ１，Ｌ２から切り離されるので、加入者線Ｌ１，Ｌ２間にスプリッタ２と電話機３などの音声通信用の通信機器が並列に接続されることはなく、スプリッタ２から出力される高周波のＡＤＳＬ信号が電話機３などに回り込んで、通話時にノイズが発生するのを防止できる。また切替スイッチ１４は、カバー１５の開閉状態に応じて、加入者線Ｌ１，Ｌ２をモジュラジャック１１又は１３に自動的に切替接続しているので、ユーザの操作によって加入者線Ｌ１，Ｌ２をモジュラジャック１１又は１３に切替接続する場合のように誤接続が発生する可能性を低減できる。
【００３３】
なお本実施形態では、カバー１５がヒンジ部１６，１６を介して回転自在に支持されており、カバー１５を開けた状態ではカバー１５が器体１０前面の右側部を覆う位置に反転するようになっているが、カバー１５の開閉方法をヒンジ方式に限定する趣旨のものではなく、例えばカバー１５の一方の辺に沿って溝孔を設け、カバー１５を開けた時にカバー１５を溝孔内に落とし込むようにして器体１０内に収納し、カバー１５が溝内に収納されると切替スイッチ１４の押釦１４ｄが押されて、加入者線Ｌ１，Ｌ２がモジュラジャック１１側に接続されるようにしても良い。
【００３４】
また図８及び図９に示すように器体１０の前面に左右方向に沿って延びる２本のレール溝２２，２２を形成するとともに、カバー１５の裏側面にレール溝２２，２２の溝内に設けた凹所（図示せず）と引掛係止するＬ字状の引掛片２３，２３を突設し、引掛片２３，２３をレール溝２２，２２に引掛係止させることによって、モジュラジャック１１，１２を覆う位置とモジュラジャック１１，１２を露出させる位置との間でスライド移動自在にカバー１５を取り付けるようにしても良く、この場合はカバー１５を開いた時にカバー１５によって覆われる部位に設けた窓孔１０ａから、プリント基板１７に実装した切替スイッチ１４の押釦１４ｄを露出させるようにすれば良い。
【００３５】
ここで、ネットワーク接続サービスを利用しない場合には図８に示すようにカバー１５が左側にスライド移動し、このカバー１５によってスプリッタ２が接続されるモジュラジャック１１，１２が隠されるので、スプリッタ２を接続するためのモジュラジャック１１，１２に誤って配線してしまうのを防止できる。またカバー１５が閉じている場合は、切替スイッチ１４の押釦１４ｄがカバー１５によって押されておらず、切替スイッチ１４の共通接点１４ｃが切替接点１４ｂ側に切り替えられて、モジュラジャック１１が加入者線Ｌ１，Ｌ２から切り離されるとともに、モジュラジャック１２，１３および宅内の電話用配線Ｌ３，Ｌ４が加入者線Ｌ１，Ｌ２に直接接続されるので、モジュラジャック１３や建物内の各部屋に設置された電話用のモジュラコンセント９ａ〜９ｃに電話機３などの通信機器を接続して音声信号により通信を行うことができる。
【００３６】
一方、ネットワーク接続サービスを利用する場合は、図９に示すようにカバー１５を開いてスプリッタ２が接続されるモジュラジャック１１，１２を露出させ、器体１０及びカバー１５に表示された結線図にしたがって、モジュラジャック１１とスプリッタ２との間を信号線で接続するとともに、スプリッタ２からの戻し配線をモジュラジャック１２に接続する。カバー１５が器体１０前面の右側部を覆う位置にスライド移動すると、カバー１５の裏側面によって切替スイッチ１４の押釦１４ｄが押操作される。押釦１４ｄが押されると、切替スイッチ１４の共通接点１４ｃが切替接点１４ａ側に切り替えられるので、スプリッタ２が加入者線Ｌ１，Ｌ２間に接続されるとともに、モジュラジャック１２，１３および宅内の電話用配線Ｌ３，Ｌ４が加入者線Ｌ１，Ｌ２から切り離され、モジュラジャック１２，１３および宅内の電話用配線Ｌ３，Ｌ４はスプリッタ２を介して加入者線Ｌ１，Ｌ２に接続される。
【００３７】
また本実施形態ではモジュラジャック１１，１２を使用しない場合にこれらのモジュラジャック１１，１２を隠すカバー１５を設け、このカバー１５の開閉状態に応じて切替スイッチ１４が加入者線Ｌ１，Ｌ２をモジュラジャック１１側、又は、モジュラジャック１３側に切替接続しているが、電話用のモジュラジャック１３を利用しない場合にこのモジュラジャック１３を隠すカバー１５を設け、カバー１５の開閉状態に応じて切替スイッチ１４が加入者線Ｌ１，Ｌ２をモジュラジャック１１側、又は、モジュラジャック１３側に択一的に接続するようにしても良い。
【００３８】
（実施形態３）
本発明の実施形態３を図１０に基づいて説明する。上述の実施形態１では、切替スイッチ１４により、モジュラジャック１１へのモジュラプラグの接続の有無に応じて、加入者線Ｌ１，Ｌ２をモジュラジャック１１側、又は、モジュラジャック１３側に択一的に接続しているのに対して、本実施形態ではネットワーク接続サービスを利用するための通信機器が接続されるモジュラジャック１１を加入者線Ｌ１，Ｌ２に直接接続し、モジュラジャック１１にモジュラプラグが接続されていなければ、モジュラジャック１１とモジュラジャック１３（１２）との間を電気的に接続し、モジュラジャック１１にモジュラプラグが接続された状態では、モジュラジャック１１とモジュラジャック１３（１２）との間を電気的に切り離すようになっている。尚、切替スイッチ１４以外の構成は実施形態１と同様であるので、共通する構成要素には同一の符号を付してその説明は省略する。
【００３９】
図１０は本実施形態の情報コンセント１の内部配線図であり、加入者線Ｌ１，Ｌ２が接続される保安器側端子Ｔ１１，Ｔ１２間にモジュラジャック１１を接続してある。そして、切替スイッチ１４の一方の切替接点１４ａ，１４ａを保安器側端子Ｔ１１，Ｔ１２に電気的に接続するとともに、共通接点１４ｃ，１４ｃの間にモジュラジャック１２，１３を並列に接続してある。ここで、モジュラジャック１１にモジュラプラグが接続されていない状態では、共通接点１４ｃが一方の切替接点１４ａ側に切り替えられて、モジュラジャック１１とモジュラジャック１３（１２）との間が電気的に接続され、モジュラジャック１２，１３が加入者線Ｌ１，Ｌ２に接続される。一方、モジュラジャック１１にモジュラプラグが接続された状態では、共通接点１４ｃが他方の切替接点１４ｂ側に切り替えられて、モジュラジャック１１とモジュラジャック１３（１２）との間が電気的に切り離され、モジュラジャック１２，１３を加入者線Ｌ１，Ｌ２から切り離すようになっている。
【００４０】
すなわち、モジュラジャック１１にスプリッタ２からの配線を接続すると、切替スイッチ１４の接点状態が切り替えられて、宅内の電話用配線Ｌ３，Ｌ４が加入者線Ｌ１，Ｌ２から切り離されるので、加入者線Ｌ１，Ｌ２間にスプリッタ２と電話機３などの音声通信用の通信機器が並列に接続されることはなく、スプリッタ２から出力される高周波のＡＤＳＬ信号が電話機３などに回り込んで、通話時にノイズが発生するのを防止できる。また切替スイッチ１４は、モジュラジャック１１へのモジュラプラグの接続の有無に応じて、モジュラジャック１１とモジュラジャック１３との間の電路を自動的にオン／オフし、モジュラジャック１３（１２）を加入者線Ｌ１，Ｌ２に接続するか、或いは、加入者線Ｌ１，Ｌ２から切り離しているので、ユーザの操作によってモジュラジャック１３を加入者線Ｌ１，Ｌ２に接続又は切り離す場合のように誤接続が発生する可能性を低減できる。
【００４１】
なお本実施形態ではモジュラジャック１１に切替スイッチ１４を付設しているが、スプリッタ２からの戻し配線が接続されるモジュラジャック１２に切替スイッチ１４を付設しても良いし、モジュラジャック１１，１２の両方に切替スイッチ１４を付設しても良く、モジュラジャック１１，１２の少なくとも何れか一方にモジュラプラグが接続されると、切替スイッチ１４がモジュラジャック１１とモジュラジャック１３との間を電気的に切り離し、モジュラジャック１１，１２の何れにもモジュラプラグが接続されなければ、切替スイッチ１４がモジュラジャック１１とモジュラジャック１３との間を電気的に接続することができる。またモジュラジャック１３、或いは、モジュラジャック１１，１３の両方に切替スイッチ１４を付設して、モジュラジャック１１，１３へのモジュラプラグの接続状態に応じてモジュラジャック１１とモジュラジャック１３との間の電路をオン／オフするようにしても良い。またモジュラジャック１３を加入者線Ｌ１，Ｌ２に直接接続して、モジュラジャック１１，１３へのモジュラプラグの接続の有無に応じて、モジュラジャック１１とモジュラジャック１３との間の電路をオン／オフするようにしても良い。
【００４２】
また本実施形態では、モジュラジャック１１，１３の内の何れかを加入者線Ｌ１，Ｌ２に直接接続して、モジュラジャック１１、１３へのモジュラプラグの接続の有無に応じて、モジュラジャック１１とモジュラジャック１３との間の電路をオン／オフしているが、利用しないモジュラジャックを隠すために一方のモジュラジャックを開閉自在に覆うカバーを設け、このカバーが閉じられると、切替スイッチ１４がモジュラジャック１１とモジュラジャック１３との間を電気的に接続し、カバーが開けられると、切替スイッチ１４がモジュラジャック１１とモジュラジャック１３との間の電気的に切り離すようにしても良い。例えば上述した実施形態２と同様に、スプリッタ２が接続されるモジュラジャック１１，１２を隠すためのカバー１５を設けた場合は、ネットワーク接続サービスを利用するためにカバー１５が開けられると、切替スイッチ１４がモジュラジャック１１とモジュラジャック１３との間を電気的に切り離して、モジュラジャック１１のみを加入者線Ｌ１，Ｌ２に接続し、カバー１５が閉じられると、切替スイッチ１４がモジュラジャック１１とモジュラジャック１３との間を電気的に接続して、モジュラジャック１１〜１３を加入者線Ｌ１，Ｌ２に接続するようにしても良い。この場合はモジュラジャック１１〜１３が全て加入者線Ｌ１，Ｌ２に接続されるが、カバー１５が閉じているので、モジュラジャック１１にスプリッタ２が接続されることはなく、モジュラジャック１３に接続される電話機３にノイズが回り込むことはない。
【００４３】
ところで、上述した実施形態１、２では切替スイッチ１４が、モジュラジャック１１，１２へのモジュラプラグの接続の有無、或いは、カバー１５の開閉に応じて加入者線Ｌ１，Ｌ２をモジュラジャック１１側、又は、モジュラジャック１３側に自動的に切替接続しているのであるが、図１１及び図１２に示す情報コンセント１ではスライドスイッチからなる切替スイッチ１４のスライド摘み１４ｅを器体１０の前面に設けた窓孔２４から露出させ、ユーザによるスライド摘み１４ｅの操作に応じて、切替スイッチ１４が加入者線Ｌ１，Ｌ２をモジュラジャック１１側、又は、モジュラジャック１３側に択一的に接続している。すなわち、ユーザがスライド摘み１４ａを「ＴＥＬ」側にスライド移動させると、切替スイッチ１４の共通接点１４ｃが切替接点１４ｂ側に切り替えられて、加入者線Ｌ１，Ｌ２がモジュラジャック１３側に切替接続され、モジュラジャック１１が加入者線Ｌ１，Ｌ２から切り離される。一方、ユーザがスライド摘み１４ａを「ＡＤＳＬ」側にスライド移動させると、切替スイッチ１４の共通接点１４ｃが切替接点１４ａ側に切り替えられて、加入者線Ｌ１，Ｌ２がモジュラジャック１１側に切替接続され、モジュラジャック１２，１３が加入者線Ｌ１，Ｌ２から切り離されるのである。
【図面の簡単な説明】
【００４４】
【図１】実施形態１の情報コンセントの内部配線図である。
【図２】同上を用いた配線システムの概略構成図である。
【図３】同上を示し、開閉扉を閉じた状態の正面図である。
【図４】同上を示し、（ａ）は切替スイッチを内蔵したモジュラジャックの正面図、（ｂ）は切替スイッチを基板に実装した状態の斜視図、（ｃ）は切替スイッチを基板に実装した状態の断面図である。
【図５】同上を示し、開閉扉を開いた状態の正面図である。
【図６】実施形態２の情報コンセントを示し、開閉扉が閉じた状態の正面図である。
【図７】同上を示し、開閉扉が開いた状態の正面図である。
【図８】同上の別の情報コンセントを示し、（ａ）は開閉扉が閉じた状態の正面図、（ｂ）は要部の断面図である。
【図９】同上を示し、開閉扉が開いた状態の正面図である。
【図１０】実施形態３の情報コンセントの内部配線図である。
【図１１】参考例の情報コンセントを示し、開閉扉が閉じた状態の正面図である。
【図１２】同上を示し、開閉扉が開いた状態の正面図である。
【符号の説明】
【００４５】
１１〜１３  モジュラジャック
１４        切替スイッチ
Ｌ１，Ｌ２  加入者線
Ｌ３，Ｌ４  電話用配線
Ｔ１１，Ｔ１２  保安器側端子
Ｔ２１，Ｔ２２  宅内側接続端子
【図１】
2005117546.tif 000003
【図２】
2005117546.tif 000004
【図３】
2005117546.tif 000005
【図４】
2005117546.tif 000006
【図５】
2005117546.tif 000007
【図６】
2005117546.tif 000008
【図７】
2005117546.tif 000009
【図８】
2005117546.tif 000010
【図９】
2005117546.tif 000011
【図１０】
2005117546.tif 000012
【図１１】
2005117546.tif 000013
【図１２】
2005117546.tif 000014